(57)【要約】      （修正有）【課題】人が生活する居住空間内に適した室内用水耕栽培装置を提供する。【解決手段】室内用水耕栽培装置Ｐは、人が生活する居住空間Ｒ内に設けられた本体１０と、この本体１０内の上部に設けられた人工照射部１１と、本体１０内の下部に設けられた養分を含んだ水を収容する水収容部１２とを備えた室内用水耕栽培装置Ｐであって、水収容部１２の水に浮かぶように設けられた浮遊マット１と、この浮遊マット１に設けられた開口部に設けられた培地２と、この培地２に支持される食用野菜の種又は苗３と、本体１０内に設けられ、居住空間Ｒ内の空気を取り入れる空気取り入れ開口部１０Ａと、本体１０内に設けられ、本体１０内の空気を居住空間Ｒ内に排出する空気排出口部１０Ｂとを有し、空気取り入れ開口部１０Ａは、空気排出口部１０Ｂより下方に設けられている。【選択図】図１
2012147749.tif 000002
【特許請求の範囲】
【請求項１】
人が生活する居住空間内に設けられた本体と、この本体内の上部に設けられた人工照射部と、前記本体内の下部に設けられた養分を含んだ水を収容する水収容部とを備えた室内用水耕栽培装置であって、
前記水収容部の水に浮かぶように設けられた浮遊マットと、
この浮遊マットに設けられた開口部と、
この開口部に設けられた培地と、  
この培地に支持される食用野菜の種又は苗と、
前記本体内に設けられ、前記居住空間内の空気を取り入れる空気取り入れ開口部と、
前記本体内に設けられ、前記本体内の空気を前記居住空間内に排出する空気排出口部とを有し、
前記空気取り入れ開口部は、前記空気排出口部より下方に設けられている
ことを特徴とする室内用水耕栽培装置。
【請求項２】
本体の内壁には、前記内壁の略全体に亘って人工照射部からの光を反射する反射材が設けられ、
空気取り入れ開口部は、前記本体内の苗が生育した植物を手で前記本体の外へ取り出すことができる大きさであり、
空気排出口部は、前記本体の天井部でない前記本体の側面に設けられている
ことを特徴とする請求項１記載の室内用水耕栽培装置。
【請求項３】
人工照射部が垂下するように前記人工照射部の取り付け部の開口部が下方に臨むように設けられ、
空気取り入れ開口部に垂下する垂下部材が本体の外側に折曲するように取り付けられ、          
前記垂下部材が前記人工照射部に対向している
ことを特徴とする請求項１記載の室内用水耕栽培装置。
【請求項４】
本体は、水収容部と、この水収容部を覆う覆い部材とを有し、
前記覆い部材の内壁には、前記内壁の略全体に亘って人工照射部からの光を反射する反射材が設けられ、
空気取り入れ開口部は、前記覆い部材に設けられ、苗が生育した植物を手で取り出すことができる大きさであり、
空気排出口部は、前記覆い部材に設けられ、前記覆い部材の天井部でない前記覆い部材の側面に設けられている
ことを特徴とする請求項１記載の室内用水耕栽培装置。
【請求項５】
空気排出口部は、第１の空気排出口部と第２の空気排出口部が設けられ、
前記第１の空気排出口部と前記第２の空気排出口部とは、対向している
ことを特徴とする請求項１又は請求項２又は請求項４記載の室内用水耕栽培装置。
【発明の詳細な説明】
【技術分野】
【０００１】
本発明は、室内用水耕栽培装置に係り、特に、人が生活する居住空間内に適した室内用水耕栽培装置に関する。
【背景技術】
【０００２】
従来、水耕液を水耕液タンクとの間で循環させて作物を育成する水耕ベッドを設けた水耕栽培装置があり、この水耕栽培装置は、前記水耕液タンクの上面に突出させるマンホール側面に液肥注入口並びに水耕液センサを設けると共に、前記水耕液タンクの水耕液を水耕ベッドに送給させる循環ポンプの吐出側を前記水耕液タンク内部及び前記センサ取付部に連結させる戻しパイプを設けたものである（例えば、特許文献１参照）。
この水耕栽培装置にあっては、水耕液を水耕液タンクとの間で循環させて作物を育成する水耕ベッドを設け、前記水耕液タンクの上面に突出させるマンホール側面に液肥注入口並びに水耕液センサを設けると共に、前記水耕液タンクの水耕液を水耕ベッドに送給させる循環ポンプの吐出側を前記水耕液タンク内部及びセンサ取付部に連結させる戻しパイプを設けたもので、マンホール側面を利用して前記水耕液タンクの高所に液肥注入口及び水耕液センサを容易に設置でき、また前記戻しパイプによって前記水耕液タンクの水耕液を循環させるから、特別に撹伴機構を設けることなく前記水耕液タンク内部の水耕液を撹伴して均一化できると共に、前記戻しパイプによって循環させる水耕液の濃度などを前記センサによって検出させるから、前記水耕液タンク内部で適正条件の水耕液を形成して後に該水耕液を水耕ベッドに送出できるもので、大型プラントに適したものである。
【先行技術文献】
【特許文献】
【０００３】
【特許文献１】実公平７−２５０１７号公報
【発明の概要】
【発明が解決しようとする課題】
【０００４】
しかしながら、この水耕栽培装置にあっては、「水耕液センサ」、タンクの水耕液を水耕ベッドに送給させる「循環ポンプ」等が必要で装置全体が大がかりとなり、前記水耕栽培装置を人が生活する居住空間内にそのまま設置するには、不向きであるという問題点があった。
【０００５】
本発明は、上記の問題点を考慮してなされた室内用水耕栽培装置を提供することを目的とする。
【課題を解決するための手段】
【０００６】
請求項１記載の室内用水耕栽培装置は、人が生活する居住空間内に設けられた本体と、この本体内の上部に設けられた人工照射部と、前記本体内の下部に設けられた養分を含んだ水を収容する水収容部とを備えた室内用水耕栽培装置であって、前記水収容部の水に浮かぶように設けられた浮遊マットと、この浮遊マットに設けられた開口部と、この開口部に設けられた培地と、この培地に支持される食用野菜の種又は苗と、前記本体内に設けられ、前記居住空間内の空気を取り入れる空気取り入れ開口部と、前記本体内に設けられ、前記本体内の空気を前記居住空間内に排出する空気排出口部とを有し、前記空気取り入れ開口部は、前記空気排出口部より下方に設けられているものである。
【０００７】
また、請求項２記載の室内用水耕栽培装置は、請求項１記載の室内用水耕栽培装置において、本体の内壁には、前記内壁の略全体に亘って人工照射部からの光を反射する反射材が設けられ、空気取り入れ開口部は、前記本体内の苗が生育した植物を手で前記本体の外へ取り出すことができる大きさであり、空気排出口部は、前記本体の天井部でない前記本体の側面に設けられているものである。
【０００８】
また、請求項３記載の室内用水耕栽培装置は、請求項１記載の室内用水耕栽培装置において、人工照射部が垂下するように前記人工照射部の取り付け部の開口部が下方に臨むように設けられ、空気取り入れ開口部に垂下する垂下部材が本体の外側に折曲するように取り付けられ、前記垂下部材が前記人工照射部に対向しているものである。
【０００９】
また、請求項４記載の室内用水耕栽培装置は、請求項１記載の室内用水耕栽培装置において、本体は、水収容部と、この水収容部を覆う覆い部材とを有し、前記覆い部材の内壁には、前記内壁の略全体に亘って人工照射部からの光を反射する反射材が設けられ、空気取り入れ開口部は、前記覆い部材に設けられ、苗が生育した植物を手で取り出すことができる大きさであり、空気排出口部は、前記覆い部材に設けられ、前記覆い部材の天井部でない前記覆い部材の側面に設けられているものである。
【００１０】
また、請求項５記載の室内用水耕栽培装置は、請求項１又は請求項２又は請求項４記載の室内用水耕栽培装置において、空気排出口部は、第１の空気排出口部と第２の空気排出口部が設けられ、前記第１の空気排出口部と前記第２の空気排出口部とは、対向しているものである。
【発明の効果】
【００１１】
請求項１記載の水耕栽培装置によれば、従来のような水耕液センサ、循環ポンプを必要とすることなく、つまり、近年の日本の建物は空調設備が完備され、断熱性、気密性の向上により外気の影響を受けにくくなっており、居住空間内の気温は野菜の生育にほぼ適した範囲であり、装置自体の冷暖房を不要であるため、装置全体を大がかりとせず、空気取り入れ開口部を介して本体内に人が生活する居住空間内の空気を取り入れて植物を育成することができ、しかも、太陽光の入りづらい光環境下にあっても、本体内に設けた人工照射部を使って補うことができ、更に、人工照射部を設けることに伴い本体内に熱が発生するが、空気取り入れ開口部は、空気排出口部より下方に設けられているため、本体内で生じる自然対流により本体内の熱は本体外へ排出されて、本体内の温度上昇を防ぐことができる。
【００１２】
また、請求項２記載の水耕栽培装置によれば、前述した請求項１記載の発明の効果に加え、本体の内壁には、人工照射部からの光を反射する反射材が設けられているため、人工照射部からの光を効率良く、本体内の苗へ供給することができ、特に、本体の天井部の内壁に設けた反射材により本体内の苗へ供給することができ、しかも、空気取り入れ開口部は、前記本体内の苗が生育した植物を手で前記本体の外へ取り出すことができる大きさであるため、空気取り入れ開口部を介して生育した植物を容易に入手することができる。
【００１３】
また、請求項３記載の水耕栽培装置によれば、前述した請求項１記載の発明の効果に加え、人工照射部が垂下するように前記人工照射部の取り付け部の開口部が下方に臨むように設けられ、空気取り入れ開口部に垂下する垂下部材が本体の外側に折曲するように取り付けられ、前記垂下部材が前記人工照射部に対向しているため、垂下部材を本体の外側に手を使って折曲させて、人工照射部を取り付け部に取り付けたり、取り付け部に取り付けた人工照射部を取り外すことができ、使用勝手を向上させることができる。
【００１４】
また、請求項４記載の水耕栽培装置によれば、前述した請求項１記載の発明の効果に加え、覆い部材の内壁には、前記内壁の略全体に亘って人工照射部からの光を反射する反射材が設けられているため、人工照射部からの光を効率良く、本体内の苗へ供給することができ、特に、本体の天井部の内壁に設けた反射材により本体内の苗へ供給することができ、しかも、空気取り入れ開口部は、前記本体内の苗が生育した植物を手で前記本体の外へ取り出すことができる大きさであるため、空気取り入れ開口部を介して生育した植物を容易に入手することができる。
【００１５】
また、請求項５記載の水耕栽培装置によれば、前述した請求項１又は請求項２又は請求項４記載の発明の効果に加え、空気排出口部は、第１の空気排出口部と第２の空気排出口部が設けられ、前記第１の空気排出口部と前記第２の空気排出口部とは、対向しているため、排気をスムーズに行うことができる。
【図面の簡単な説明】
【００１６】
【図１】図１は、本発明の一実施例の室内用水耕栽培装置の概略的斜視図である。
【図２】図２は、図１の２−２線による概略的断面図である。
【図３】図３は、図１の３−３線による概略的断面図である。
【図４】図４は、図１の室内用水耕栽培装置の水収容部の水面上に浮かべる浮遊マットを水収容部から離間させた状態の概略的斜視図である。
【図５】図５は、図１の室内用水耕栽培装置の本体を分離して示す概略的断面図である。
【図６】図６は、図１の室内用水耕栽培装置で生育された苗に水を補給する状態を示す概略的断面図である。
【発明を実施するための形態】
【００１７】
本発明の一実施例の室内用水耕栽培装置を図面を参照して説明する。
図１に示すＰは、食用野菜を生育させる室内用水耕栽培装置で、室内用水耕栽培装置Ｐは、人が生活する居住空間Ｒ内に設けられた本体１０と、この本体１０内の上部に設けられた人工照射部（人工光源）１１と、本体１０内の下部に設けられた養分を含んだ水を収容する水収容部１２とを備えている。
室内用水耕栽培装置Ｐで栽培される食用野菜は、例えば、サラダ菜、小松菜、ホウレン草、チンゲン菜、京菜、山東菜、リーフレタス、サニーレタス、つまみ大根、パセリ、菜花、大葉高菜、イタリアンパセリ、春菊、サンチュ、空芯菜、アイスプラント、クレソン、からし菜、三ツ葉、ルッコラ、水菜等である。
【００１８】
人工照射部１１は、例えば、電球、蛍光灯、発光ダイオード等であり、人工照射部１１は、人工照射部１１が垂下するように人工照射部１１の取り付け部１１ａの開口部が下方に臨むように設けられ（図６参照）、取り付け部（ソケット）１１ａは、本体１０の上部に設けられた支持部材Ｓに取り付けられている。取り付け部１１ａは、電球、蛍光灯、発光ダイオードを差し込むときの受け口であるソケットである。
【００１９】
また、図４に示す１は浮遊マットで、浮遊マット１は、水収容部１２に収容された養分を含んだ水に浮かぶように設けられている。この浮遊マット１には、複数の開口部１ａが設けられ、この複数の開口部１ａに、例えば、食用野菜の種又は苗３を支持する培地２（培地２は、具体的には、ウレタンスポンジに植え付けた苗３であり、通称「苗ポット」である。）が嵌合されている。つまり、開口部１ａに苗３を支持する培地２を挿入して養分を含んだ水に浮かせて栽培を行うようにする。
【００２０】
また、本体１０には、居住空間（居住空間は、例えば、空調設備が整った一般家庭のリビングである。）Ｒ内の空気を取り入れる空気取り入れ開口部１０Ａと、本体１０内の空気を居住空間Ｒ内に排出する空気排出口部１０Ｂとを有し、空気取り入れ開口部１０Ａは、空気排出口部１０Ｂより下方に設けられている。
空気取り入れ開口部１０Ａは、本体１０内で生育した植物を手で本体１０の外へ取り出すことができる大きさに形成され、また、空気排出口部１０Ｂは、本体１０の天井部でない本体１０の側面に設けられ、この空気排出口部１０Ｂは、望ましくは、第１の空気排出口部１０Ｂ１と第２の空気排出口部１０Ｂ２が設けられ、第１の空気排出口部１０Ｂ１と第２の空気排出口部１０Ｂ２とは、図２及び図５に示すように、対向している。
そして、水収容部１２を除く本体１０の内壁には、該内壁の略全体に亘って人工照射部１１からの光を反射するアルミ箔等で形成された反射材１４が設けられている。
また、図１、図３及び図６に示す１０Ｃは垂下部材で、垂下部材１０Ｃは、空気取り入れ開口部１０Ａに垂下するように設けられ、垂下部材１０Ｃは、本体１０の外側に折曲できるように蝶番２を介して取り付けられている。そして、垂下部材１０Ｃは人工照射部１１に対向している（図６参照）。
なお、本体１０は、水収容部１２と、この水収容部１２を覆う覆い部材１３とを有し、水収容部１２は、例えば、上部が開口したポリプロピレンコンテナ（例えば、幅４５０ｍｍ、奥行３００ｍｍ、高さ１８０ｍｍ、容量１５０００ｃｃ）で、水収容部１２内には、水収容部１２に収容された養分を含んだ水に空気を供給（酸素を供給）するようになっている。空気は、例えば、図示しないエアーポンプからの空気をビニールパイプ１５、エアーストーン１６を介して供給する。覆い部材１３は、例えば、略直方体形状をなしている。
【００２１】
従って、上述した水耕栽培装置Ｐによれば、従来のような水耕液センサ、循環ポンプを必要とすることなく、つまり、近年の日本の建物は空調設備が完備され、断熱性、気密性の向上により外気の影響を受けにくくなっており、居住空間Ｒ内の気温は野菜の生育にほぼ適した範囲であり、装置自体の冷暖房を不要であるため、装置全体を大がかりとせず、空気取り入れ開口部１０Ａを介して本体１０内に人が生活する居住空間Ｒ内の空気を取り入れて植物を育成することができ、しかも、太陽光の入りづらい光環境下にあっても、本体１０内に設けた人工照射部１１を使って補うことができ、更に、人工照射部１１を設けることに伴い本体１１内に熱が発生するが、空気取り入れ開口部１０Ａは、空気排出口部１０Ｂより下方に設けられているため、本体１０内で生じる自然対流により本体１０内の熱は本体１０外へ排出されて、本体１０内の温度上昇を防ぐことができる。
【００２２】
また、本体１０の内壁には、人工照射部１１からの光を反射する反射材１４が設けられているため、人工照射部１１からの光を効率良く、本体１０内の植物へ供給することができ、特に、本体１０の天井部の内壁に設けた反射材１４により本体１０内の植物へ供給することができ、しかも、空気取り入れ開口部１０Ａは、本体１０内の苗が生育した植物を手で本体１０の外へ取り出すことができる大きさであるため、空気取り入れ開口部１０Ａを介して新鮮で安全な野菜を好きなときに入手することができる。
また、人工照射部１１が垂下するように人工照射部１１の取り付け部１１ａの開口部が下方に臨むように設けられ、空気取り入れ開口部１０Ａに垂下する垂下部材１０Ｃが本体１０の外側に折曲するように取り付けられ、垂下部材１０Ｃが人工照射部１１に対向（図６参照）しているため、垂下部材１０Ｃを本体１０の外側に折曲して、人工照射部１１を取り付け部１１ａに取り付けたり、取り付け部１１ａに取り付けた人工照射部１１を容易に取り外すことができる。
また、空気排出口部１０Ｂは、第１の空気排出口部１０Ｂ１と第２の空気排出口部１０Ｂ２が設けられ、第１の空気排出口部１０Ｂ１と第２の空気排出口部１０Ｂ２とは、対向しているため、排気をスムーズに行うことができる。
【００２３】
なお、本実施例によれば、人工照射部１１を２２Ｗ３波長昼光色電球型蛍光灯６灯、２４時間タイマーを使用して使用者のライフスタイルに合わせて照射時間を１０〜１２時間、９株の小松菜の苗（１株当たりの必要な養液量を約１５００ｃｃ）を５週間程度栽培した結果、１株約５０ｇの収量を得た。なお、水の補給は、例えば、図６に示す容器６を使用して空気取り入れ開口部１０Ａを介して水収容部１２内に行うことができ、水の補給量は、葉面積が増大して蒸散量が多くなる生育後期になるに従って水の管理が頻繁に行う必要があり、最終的には約５０００ｃｃ程度であった。
また、本実施例においては、培地２に支持される食用野菜の苗として苗ポット（発泡ポリウレタンスポンジに播種して発芽させたもの）の例を示したが、本願発明にあっては、これに限らず、培地２に支持される食用野菜の苗に換えて、培地２に直接種をまいて、食用野菜の種を培地２に支持させるようにしても良い。
【符号の説明】
【００２４】
Ｐ      室内用水耕栽培装置
Ｒ      居住空間
１      浮遊マット
１ａ    開口部
２      培地
３      苗
１０    本体
１０Ａ  空気取り入れ開口部
１０Ｂ  空気排出口部
１１    人工照射部
１２    水収容部
【図１】
2012147749.tif 000003
【図２】
2012147749.tif 000004
【図３】
2012147749.tif 000005
【図４】
2012147749.tif 000006
【図５】
2012147749.tif 000007
【図６】
2012147749.tif 000008